(57)【要約】【課題】第１指が筐体前面側における広い範囲に移動できる状態で、筐体を片手で確実に把持できるようにし、作業性を向上できるようにする。【解決手段】携帯端末装置では、筐体１の下部側面に線状の溝が形成されている。筐体１の背面１Ｄに略半円筒状の突出部５１を形成した。把持部分６において、筐体１の前面１Ａから第１の側面１Ｂ及び第２の側面１Ｃと背面１Ｄの一部を経由して突出部５１に至る間を、円滑に連結する曲面で形成した。第１の側面１Ｂ側における突出部５１の端部から突出部５１を経由して第２の側面１Ｃの前面１Ａ側の端部に至る筐体１の表面の長さＬを、人の手の第２〜５指の指先から掌における拇指球よりも第２〜５指側の部分までの長さに略等しくした。【選択図】  図４
2019164806.tif 000002
【特許請求の範囲】
【請求項１】
筐体と、
表示部と、
赤外線によりバーコード情報を読取る読取部と、
複数の操作キーにより構成される操作部と、
前記筐体を把持するための突出部と、
を備え、
前記筐体の下部側面に、線状の溝が形成されている、携帯端末装置。
【請求項２】
前記線状の溝は、前記筐体の上下方向に沿うように形成されている、請求項１に記載の携帯端末装置。
【請求項３】
前記線状の溝は、複数の溝で形成されている、請求項１または請求項２に記載の携帯端末装置。
【請求項４】
前記線状の溝は、前記筐体の左下部側面及び右下部側面にそれぞれ形成されている、請求項１から３のいずれかに記載の携帯端末装置。
【発明の詳細な説明】
【技術分野】
【０００１】
この発明は、前面に操作部を備えた携帯端末装置であって片手で把持される携帯端末装置に適用されるグリップ構造、及びこのグリップ構造を備えた携帯端末装置に関する。
【背景技術】
【０００２】
携帯端末装置は、前面に表示部や操作部を備えた筐体を、片手で把持するようにしたものがある。例えば、流通業務における商品管理等の作業に使用されるハンディターミナルは、筐体にバーコードリーダ等の読取部をさらに備え、作業の自由度を高めるべく、一方の手を操作部の操作以外の作業に自由に使えるように、筐体の下部を片手で把持した状態で使用される。
【０００３】
ハンディターミナルは、長時間にわたって継続して使用される場合が多く、小型、薄型化及び軽量化の要請が強い。このため、従来のハンディターミナルでは、筐体の表面に表示部及び操作部を上下に配置するとともに、筐体における操作部が配置された部分を表示が配置された部分よりも幅狭に形成し、筐体内部に筒状のバッテリをその軸芯が筐体の上下方向と平行になるようにして収納したものがある（例えば、特許文献１参照。）。
【０００４】
筐体における操作部が配置された部分は、十分に幅狭であるため、掌が筐体の背面の全面に対向する状態で、筐体が片手で把持される。作業者は、筐体を把持した方の第１指で筐体の前面に配置された操作部を操作することで、筐体を把持していない方の手を他の作業に自由に使用できる。
【先行技術文献】
【特許文献】
【０００５】
【特許文献１】特開２０１３−１５６７５１号公報
【発明の概要】
【発明が解決しようとする課題】
【０００６】
しかし、掌が筐体の背面の全面に対向する状態で筐体を片手で把持すると、掌の拇指球（第１指の付け根部分）が筐体の他方の側面に当接して第１中手骨の移動が規制され、筐体の前面側における第１指の移動範囲が制限を受け、操作部の全域を確実に操作することができない。このため、第１指による操作部の操作時に、無理に第１指で操作しようとすると、筐体の把持状態が不安定になり、筐体を持ち替える必要が生じる。また、筐体を把持していない他方の手指を使用すると、作業性が低下する。このような問題は、ハンディターミナルに限らず、他の携帯端末装置にも同様に生じる。
【０００７】
この発明の目的は、第１指が筐体前面側における広い範囲に移動できる状態で、筐体を片手で確実に把持できるようにし、作業性を向上することができるグリップ構造、及びこのグリップ構造を備えた携帯端末装置を提供することにある。
【課題を解決するための手段】
【０００８】
この発明の携帯端末装置では、筐体の下部側面に線状の溝が形成されている。また、この発明のグリップ構造は、前面に操作部が配置された把持部分の背面に軸方向を筐体の上下方向に平行にした略半円筒形状の突出部を形成し、把持部分を突出部の一方の側面に少なくとも第３〜５指の指先が当接した状態で拇指球が操作部よりも前方に位置する幅に形成した。
【０００９】
筐体は、背面の突出部の一方の側面に当接した少なくとも第３〜５指の指先と、把持部分における一方の側面とは反対側の側面に当接した掌における拇指球よりも第２〜５指側の部分と、によって把持部分を挟持された状態で、片手で確実に把持される。拇指球は筐体における反対側の側面よりも前方に位置して筐体に当接しないため、第１中手骨の移動は規制されず、筐体の前面側における第１指の移動範囲が制限を受けることがない。
【００１０】
この構成において、突出部の上面に第２指が当接する凹部を形成し、把持部分における反対側の側面の下端部が掌の小指球（第５指の付け根部分）に当接する位置とすることが好ましい。凹部に当接した第２指と、把持部分における反対側の側面の下端部に当接した小指球と、によっても把持部分を挟持した状態で、片手でより確実に筐体を把持できる。
【００１１】
また、筐体の背面の下端部に第５指が当接する凸部を形成することが好ましい。少なくとも第３及び４指とともに突出部に当接した第５指の下方への移動を規制し、第３〜５指が突出部の側面から外れることを防止できる。
【００１２】
さらに、突出部は、筐体の背面に着脱自在に装着されるカバーを兼ねるものとし、筐体の背面の一部と突出部の一部とに両端部を係止されるストラップを備えることが好ましい。第２〜５指の背面方向への移動を規制して、筐体をより確実に把持できるとともに、筐体から外されたカバーの落下を防止できる。
【００１３】
この発明の携帯端末装置は、上記の何れかのグリップ構造を備えた筐体の前面における操作部の上側に表示部を備えている。操作部の全域を第１指で操作できる状態で携帯端末装置を片手で確実に把持することができる。また、表示部は把持されないため、表示面の大きさに制限を受けることがない。
【発明の効果】
【００１４】
この発明によれば、第１指が筐体前面側における広い範囲に移動できる状態で、筐体を片手で確実に把持でき、作業性を向上することができる。
【図面の簡単な説明】
【００１５】
【図１】この発明の第１の実施形態に係るグリップ構造を備えた携帯端末装置であるハンディターミナルの前面側の外観図である。
【図２】同ハンディターミナルの背面側の外観図である。
【図３】同ハンディターミナルの把持部分の端面図である。
【図４】同ハンディターミナルの使用状態を示す側面図である。
【図５】（Ａ）及び（Ｂ）は、この発明の第２の実施形態に係るグリップ構造を備えたハンディターミナルの背面側の外観図及び使用状態を示す側面図である。
【図６】（Ａ）及び（Ｂ）は、この発明の第３の実施形態に係るグリップ構造を備えたハンディターミナルの背面側の外観図及び使用状態を示す側面図である。
【図７】（Ａ）及び（Ｂ）は、この発明の第４の実施形態に係るグリップ構造を備えたハンディターミナルの背面側の外観図及び使用状態を示す側面図である。
【発明を実施するための形態】
【００１６】
以下に、この発明の実施形態に係るグリップ構造を備えた携帯端末装置について、ハンディターミナルを例に挙げて、図面を参照しつつ説明する。
【００１７】
図１及び図２に示すように、この発明の第１の実施形態に係るグリップ構造を備えた携帯端末装置であるハンディターミナル１０は、左右対称の略羽子板状を呈する筐体１の前面１Ａに表示部２及び操作部３を備えている。表示部２は、例えばＬＣＤで構成され、筐体１における上方の幅広部分に配置されている。操作部３は、複数の押しボタン３１及びカーソルキー３２等で構成され、筐体１における下方の幅狭部分に配置されている。
【００１８】
筐体１の第１の側面１Ｂ及び第２の側面１Ｃは、前面１Ａと背面１Ｄとの間に円滑に連続する曲面で構成されている。また、筐体１の平面視において、幅広部分と幅狭部分とが曲線で構成された接続部７を介して円滑に連続している。第１の側面１Ｂ及び第２の側面１Ｃは、接続部７において三次元曲面で構成されている。
【００１９】
ハンディターミナル１０は、前面１Ａに操作部３が配置されている筐体１の幅狭部分の第１の側面１Ｂ又は第２の側面１Ｃ及び背面１Ｄを把持部分６として、使用者の片手で把持される。使用者がハンディターミナル１０を左手で把持する場合は、把持部分６の第１の側面１Ｂ及び背面１Ｄが左手の掌に当接する。使用者がハンディターミナル１０を右手で把持する場合は、把持部分６の第２の側面１Ｃ及び背面１Ｄが右手の掌に当接する。
【００２０】
筐体１の背面１Ｄには、上部に読取部４が突出して形成されており、中間部から下端に至るカバー５が着脱自在に装着されている。読取部４は、例えば、赤外線バーコードリーダである。カバー５は、筐体１の内部に収納されている筒状のバッテリを被覆する。
【００２１】
図３に示すように、バッテリ１１は矩形と半円形とを組み合わせた断面形状を呈し、軸方向を筐体１の上下方向に平行にして筐体１の内部に収納されている。カバー５は、バッテリ１１の半円形状に対応する略半円筒状の突出部５１を備えている。突出部５１は、軸方向を筐体１の上下方向に平行にして形成されている。突出部５１は、背面１Ｄの一部を経由して第１の側面１Ｂ及び第２の側面１Ｃに曲面を介して円滑に連続している。したがって、筐体１は、把持部分６において、筐体１の前面１Ａから第１の側面１Ｂ及び第２の側面１Ｃと背面１Ｄの一部を経由して突出部５１に至る間を円滑に連結する曲面を備えている。
【００２２】
第１の側面１Ｂ側における突出部５１の端部から突出部５１を経由して第２の側面１Ｃの前面１Ａ側の端部に至る筐体１の表面の長さＬは、人の手の第２〜５指の指先から掌における拇指球よりも第２〜５指側の部分までの長さに略等しくなるようにされている。筐体１は左右対称に形成されており、第２の側面１Ｃ側における突出部５１の端部から突出部５１を経由して第１の側面１Ｂの前面１Ａ側の端部に至る筐体１の表面の長さＬも同様にされている。
【００２３】
筐体１の各部の寸法は、ハンディターミナル１０を専ら使用することになる成人の手の大きさを考慮して決定される。一例として、長さＬは約８０ｍｍ、把持部分６の幅Ｗ１は約５０ｍｍ、把持部分６の奥行Ｄ１は約３０ｍｍ、突出部５１の幅Ｗ２は約３０ｍｍ、突出部５１の突出量Ｄ２は約１０ｍｍにされている。なお、筐体１における表示部２が配置されている部分の幅は、表示部２の画面サイズを考慮して約８０ｍｍにされている。
【００２４】
したがって、図４に示すように、例えば、右手１００の第２〜５指１０２〜１０５の指先が突出部５１の第１の側面１Ｂ側に当接し、右手１００の掌における拇指球１１０よりも第２〜５指１０２〜１０５側の部分が第２の側面１Ｃ（図４には現れない。）に当接した状態で、ハンディターミナル１０が把持部分６において確実に把持される。
【００２５】
このとき、右手１００の拇指球１１０は、筐体１の前面１Ａよりも前方に位置して筐体１に接触しないため、第１中手骨の移動は規制されず、第１指１０１は、図中二点鎖線で示すように、筐体１の前面１Ａ側の広い範囲に移動することができる。これによって、ハンディターミナル１０を右手１００のみで確実に把持しつつ、右手１００の第１指１０１によって操作部３を容易に操作でき、使用者は左手を他の作業に自由に使用することができる。
【００２６】
右手１００の掌における第２〜５指１０２〜１０５の付け根部分は、筐体１の第２の側面１Ｃに当接するが、第２の側面１Ｃは第１の側面１Ｂとともに、前面１Ａと背面１Ｄとの間を円滑に連結する曲面で構成されており、過度の刺激を受けることがない。また、筐体１における第２〜５指の指先が当接する部分は、突出部５１と第１の側面１Ｂとの間を円滑に連続させる曲面部分であるため、第２〜５指の指先が過度の刺激を受けることもない。さらに、第２指１０２の付け根部分は、掌から甲側にかけて筐体１の接続部７に当接するが、接続部７は三次元曲面で構成されており、過度の刺激を受けることがない。
【００２７】
したがって、ハンディターミナル１０を把持する右手が筐体１から過度の刺激を受けることがなく、ハンディターミナル１０の長時間の使用に支障をきたすことがない。
【００２８】
また、図３に示すように、把持部分６における第１の側面１Ｂ及び第２の側面１Ｃを片手で同時に掴むことがないため、把持部分６の幅は、長さＬが人の手の第２〜５指の指先から掌における拇指球よりも第２〜５指側の部分までの長さに略等しくなることを条件に、さほど狭くする必要がない。このため、把持部分６に配置される操作部３の面積を広くすることができ、押しボタン３１のサイズや間隔を比較的大きくすることができるため、操作部３の操作性が向上する。
【００２９】
なお、第２指１０２が突出部５１から離間した状態でも、第３〜５指１０３〜１０５を突出部５１に当接させることによってハンディターミナル１０を確実に把持することができる。
【００３０】
また、突出部５１に少なくとも第３〜５指１０３〜１０５の位置を案内する窪みを形成することもできる。
【００３１】
図５（Ａ）及び（Ｂ）に示すように、この発明の第２の実施形態に係るグリップ構造を備えたハンディターミナル１０Ａは、突出部５１の上端に人の右手１００の第２指１０２が当接する凹部５１１を形成し、ハンディターミナル１０Ａを右手で把持した場合に、筐体１の下端における部分球形の角部１Ｅが掌の小指球（小指の付け根部分）に当接するようにしている。凹部５１１に当接した第２指１０２と、突出部５１において第３〜５指１０３〜１０５が当接する側とは反対側の第２の側面１Ｃの下端部である角部１Ｅに当接した小指球と、によっても把持部分６が挟持され、ハンディターミナル１０Ａをより確実に把持することができる。
【００３２】
図６（Ａ）及び（Ｂ）に示すように、この発明の第３の実施形態に係るグリップ構造を備えたハンディターミナル１０Ｂは、筐体１の背面１Ｄの下端部に、人の手の第５指が当接する凸部１Ｇを形成したものである。突出部５１に当接した第５指１０５の下方への移動が凸部１Ｇとの当接によって規制され、第３〜５指１０３〜１０５が突出部５１から外れることを防止して、ハンディターミナル１０Ｂを長時間にわたって確実に保持できる。
【００３３】
図７（Ａ）及び（Ｂ）に示すように、この発明の第４の実施形態に係るグリップ構造を備えたハンディターミナル１０Ｃは、筐体１の背面１Ｄ側の上下２箇所に、ストラップ２００の両端部が上下に通過するホルダ２１０及び２２０を形成したものである。上側のホルダ２１０は、背面１Ｄにおけるカバー５の直上に形成されている。下側のホルダ２２０は、カバー５の下端部に形成されている。
【００３４】
筐体１の背面１Ｄの一部と突出部５１を有するカバー５の一部とに、ストラップ２００の両端部がそれぞれ係止されたストラップ２００が、突出部５１の後方に配置される。第２〜５指１０２〜１０５の後方への移動を規制することができ、ハンディターミナル１０Ｃを長時間にわたってより確実に把持できる。また、カバー５は、ストラップ２００を介して筐体１の背面１Ｄに繋がれるため、筐体１から外されたカバー５が落下によって破損や紛失すること防止できる。
【００３５】
上記の第２〜４の実施形態は、それぞれ単独で、又は一部若しくは全部を組み合わせて実施することができる。
【００３６】
第１〜４の実施形態では、何れも筐体１を右手で把持する場合について説明したが、筐体１を左手で把持する場合も同様にこの発明の作用効果を奏することができる。また、ハンディターミナルに限らず、片手で把持及び操作される他の携帯端末装置にもこの発明を同様に実施できる。この場合に、筐体１の各部の寸法は、装置を主に使用する人の年齢や性別に応じて、一般的な手の大きさを考慮して決定することが好ましい。
【００３７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３８】
１−筐体
１Ａ−前面
１Ｂ−第１の側面
１Ｃ−第２の側面
１Ｄ−背面
２−表示部
３−操作部
５−カバー
６−把持部分
１０−ハンディターミナル
【図１】
2019164806.tif 000003
【図２】
2019164806.tif 000004
【図３】
2019164806.tif 000005
【図４】
2019164806.tif 000006
【図５】
2019164806.tif 000007
【図６】
2019164806.tif 000008
【図７】
2019164806.tif 000009